(57)【要約】【課題】電源が意図せずにオン状態になった場合、起動しないカメラを提供する。【解決手段】本発明のカメラは、筐体１０ａの一面１０ａａに配置され、該一面から第１の距離ＹＢ１にあるオフ位置から該距離ＹＢ１よも小さい第２の距離ＹＢ２にあるオン位置に押圧することによりカメラ１０を電源オフの状態から電源オンの状態に切替可能な第１押圧部３０ａを有する電源ボタン３０と、一面１０ａａに配置され、電源オンの状態で、該一面から第３の距離ＹＲ１にあるオフ位置から該距離ＹＲ１よりも小さく且つ第２の距離ＹＢ２よりも大きい第４の距離ＹＲ２にあるオン位置に押圧することによりカメラ１０の特定の動作をオフの状態からオンの状態に切替可能な第２押圧部２０ａを有する操作ボタン２０とを備え、操作ボタン２０が押圧されてオン位置にある場合、第１押圧部３０ａがオフ位置からオン位置に押圧されても、非起動状態を維持することを特徴とする。【選択図】図３
2009104051.tif 000002
【特許請求の範囲】
【請求項１】
筐体の一面に配置され、該一面から第１の距離にあるオフ位置から該第１の距離よも小さい第２の距離にあるオン位置に押圧することによりカメラを電源オフの状態から電源オンの状態に切り替え可能な第１押圧部を有する電源ボタンと、
前記一面に配置され、前記電源オンの状態で、該一面から第３の距離にあるオフ位置から該第３の距離よりも小さく且つ前記第２の距離よりも大きい第４の距離にあるオン位置に押圧することによりカメラの特定の動作をオフの状態からオンの状態に切り替え可能な第２押圧部を有する操作ボタンと、を備え、
前記操作ボタンが押圧されて前記オン位置にある場合、前記第１押圧部が前記オフ位置から前記オン位置に押圧されても、非起動状態を維持することを特徴とするカメラ。
【請求項２】
請求項１に記載のカメラであって、
前記操作ボタンがレリーズボタンであることを特徴とするカメラ。
【請求項３】
請求項１又は２に記載のカメラであって、
前記操作ボタンが前記電源ボタンよりも前記一面の端部側に配置されていることを特徴とするカメラ。
【請求項４】
請求項１〜３のいずれか１項に記載のカメラであって、
前記電源ボタンと前記操作ボタンとが隣接していることを特徴とするカメラ。
【発明の詳細な説明】
【技術分野】
【０００１】
本発明は、筐体の一面に電源ボタンと他の操作ボタンとを有するカメラに関するものである。
【背景技術】
【０００２】
カメラを鞄の中に入れて持ち運ぶ際に、カメラの電源スイッチが意図せずにオン状態になることがある。そうすると、レンズ鏡筒が繰り出して障害物に当たり、レンズ鏡筒に負担が加わることがある。従来、レンズ鏡筒にこのような付加が加わり続けることを防止するため、レンズ鏡筒が繰り出す途中で何かに当たり所定時間停止した場合、レンズ鏡筒を沈胴位置に戻すカメラが提案されている（例えば、特許文献１参照）。
【特許文献１】特開平１０−２６０４４０号公報
【発明の開示】
【発明が解決しようとする課題】
【０００３】
しかし、上記従来技術では、カメラの電源スイッチが意図せずにオン状態になった場合、レンズ鏡筒は何かに当たると沈胴位置に戻るが、カメラは起動しているので、カメラの電力が消耗してしまう等の問題がある。本発明の課題はカメラの電源スイッチが意図せずにオン状態になった場合、カメラが起動しないようにすることである。
【課題を解決するための手段】
【０００４】
本発明は、以下のような解決手段により前記課題を解決する。なお、理解を容易にするために、本発明の実施形態に対応する符号を付して説明するが、これに限定されるものではない。
【０００５】
請求項１に記載の発明は、筐体（１０ａ）の一面（１０ａａ）に配置され、該一面（１０ａａ）から第１の距離（ＹＢ１）にあるオフ位置から該第１の距離（ＹＢ１）よも小さい第２の距離（ＹＢ２）にあるオン位置に押圧することによりカメラ（１０）を電源オフの状態から電源オンの状態に切り替え可能な第１押圧部（３０ａ）を有する電源ボタン（３０）と、前記一面（１０ａａ）に配置され、前記電源オンの状態で、該一面（１０ａａ）から第３の距離（ＹＲ１）にあるオフ位置から該第３の距離（ＹＲ１）よりも小さく且つ前記第２の距離（ＹＢ２）よりも大きい第４の距離（ＹＲ２）にあるオン位置に押圧することによりカメラ（１０）の特定の動作をオフの状態からオンの状態に切り替え可能な第２押圧部（２０ａ）を有する操作ボタン（２０）と、を備え、前記操作ボタン（２０）が押圧されて前記オン位置にある場合、前記第１押圧部（３０ａ）が前記オフ位置から前記オン位置に押圧されても、非起動状態を維持することを特徴とするカメラ（１０）である。
請求項２に記載の発明は、請求項１に記載のカメラ（１０）であって、前記操作ボタンがレリーズボタン（２０）であることを特徴とするカメラ（１０）である。
請求項３に記載の発明は、請求項１又は２に記載のカメラ（１０）であって、前記操作ボタン（２０）が前記電源ボタン（３０）よりも前記一面（１０ａａ）の端部側に配置されていることを特徴とするカメラ（１０）である。
請求項４に記載の発明は、請求項１〜３のいずれか１項に記載のカメラ（１０）であって、前記電源ボタン（３０）と前記操作ボタン（２０）とが隣接していることを特徴とするカメラ（１０）である。
なお、符号を付して説明した構成は、適宜改良してもよく、また、少なくとも一部を他の構成物に代替してもよい。
【発明の効果】
【０００６】
本発明によれば、カメラの電源スイッチが意図せずにオン状態になった場合、カメラが起動しないようにすることができる。
【発明を実施するための最良の形態】
【０００７】
以下、図面等を参照して、本発明の実施形態について説明する。なお、以下に示す各図には、説明と理解を容易にするために、ＸＹＺ直交座標系を設けた。この座標系では、撮影者が光軸Ａを水平として横長の画像を撮影する場合のカメラの位置（以下、通常の撮影位置という）において撮影者から見て左側に向かう方向をＸプラス方向とする。また、通常の撮影位置において上側に向かう方向をＹプラス方向とする。さらに、通常の撮影位置において被写体に向かう方向をＺプラス方向とする。
【０００８】
図１は本実施形態のカメラ１０の外観を示した斜視図である。本実施形態のカメラ１０は、例えば、レンズ非交換式のデジタルスチルカメラである。カメラ１０における筐体の上面（Ｙプラス側面）１０ａには、レリーズボタン２０と、電源ボタン３０とが配置されている。また、筐体の前面（Ｚプラス側面）には、内部にレンズを備えた繰り出し可能なレンズ鏡筒４０が設けられており、沈胴状態（収納状態）からレンズ鏡筒４０が繰り出すことにより撮影可能状態となる。
【０００９】
図２はカメラ１０のブロック図であり、図示するようにカメラ１０は、その内部に電源スイッチ３２及びレリーズスイッチ２２のオンオフ情報が入力されるＣＰＵ１１を備える。レリーズスイッチ２２は、押圧ストロークの短い半押しスイッチと押圧ストロークの長い全押しスイッチとの２段階のスイッチを含む。なお、以降の説明において、特に断りのない限り、レリーズスイッチ２２とは半押しスイッチを示すものとする。またカメラ１０は、ＣＰＵ１１によって制御されるレンズ駆動部１２、シャッタ駆動部１３、撮像部１４、画像処理回路１５、メモリカードスロット１６、ＬＣＤ１７等を備える。さらにカメラ１０は、バッテリ１９から供給される電力をＣＰＵ１１の制御により各部に供給する電源回路１８を備える。
【００１０】
図１に戻り、レリーズボタン２０及び電源ボタン３０は、それぞれ押圧面２０ａ，３０ａを備える円形のボタンであって、レリーズボタン２０の径は電源ボタン３０の径よりも大きい。また、レリーズボタン２０及び電源ボタン３０は、カメラ１０の上面１０ａａにおいて、レリーズボタン２０が上面１０ａａの長手方向の端部側になるようにして、隣接して配置されている。
【００１１】
図３は、カメラ１０の上面１０ａａにおけるレリーズボタン２０及び電源ボタン３０の位置関係を示した図であり、（ａ）は各ボタンの非押圧状態、（ｂ）は各ボタンの押圧状態を示している。図示するように、レリーズボタン２０の下には、カメラ１０のＹマイナス方向に延びる棒状の押圧部材２１が延びている。そして押圧部材２１のさらにＹマイナス側には、押圧部材２１のＹマイナス側端部から距離ｙ離れてレリーズスイッチ２２が配置されている。
【００１２】
撮影者がレリーズボタン２０を押圧し、レリーズボタン２０の押圧面２０ａが距離ｙだけＹマイナス方向に下がり、押圧部材２１のＹマイナス側端部がレリーズスイッチ２２と当接すると、レリーズスイッチ２２がオンになる。このとき、後述する電源スイッチ３２がオンの場合、ＣＰＵ１１よりシャッタ駆動部１３に信号が送られ、設定された露光条件に従って図示しないシャッタが開閉して被写体像光が撮像部１４に露光される。
【００１３】
また、電源ボタン３０の下には、カメラ１０のＹマイナス方向に延びる棒状の押圧部材３１が延びている。そして押圧部材３１のさらにＹマイナス側には、押圧部材３１のＹマイナス側端部から、上述のレリーズボタン２０とレリーズスイッチ２２との間の距離と同じ距離ｙ離れて電源スイッチ３２が配置されている。
【００１４】
撮影者が電源ボタン３０を押圧し、電源ボタン３０の押圧面３０ａが距離ｙだけＹマイナス方向に下がり、押圧部材３１のＹマイナス側端部が電源スイッチ３２と当接すると、電源スイッチ３２がオンとなる。そして、ＣＰＵ１１より電源回路１８に信号が送られ、電源回路１８はカメラ１０の各部に電力を供給し、カメラ１０は被写体の撮影が実施可能な状態となる。なお、電源スイッチ３２がオフの場合は、被写体の撮影等のカメラ１０における撮影動作を行うことはできないが、ＣＰＵ１１には、レリーズボタン２０や電源ボタン３０が押下されてレリーズスイッチ２２や電源スイッチ３２がオンになったか否かを検出するための最低限の電力が供給されている。
【００１５】
次に、レリーズボタン２０及び電源ボタン３０の位置関係について説明する。レリーズボタン２０が非押圧状態（図３（ａ））の場合における、カメラ１０の上面１０ａａからレリーズボタン２０の押圧面２０ａまでの距離（カメラ１０から突出している量）をＹＲ１、レリーズボタン２０が押圧状態（図３（ｂ））の場合における、カメラ１０の上面１０ａａからのレリーズボタン２０の押圧面２０ａまでの距離をＹＲ２とする。そして、電源ボタン３０の非押圧状態（図３（ａ））の場合における、カメラ１０の上面１０ａａから電源ボタン３０の押圧面３０ａまでの距離をＹＢ１、電源ボタン３０の押圧状態（図３（ｂ））の場合における、カメラ１０の上面１０ａａからの電源ボタン３０の押圧面３０ａまでの距離をＹＢ２とする。
【００１６】
本実施形態においてＹＲ１はＹＢ１より大きい（ＹＲ１＞ＹＢ１）。また、レリーズボタン２０及び電源ボタン３０がレリーズスイッチ２２及び電源スイッチ３２と当接するまでに移動するストローク量は同じｙである。したがってレリーズボタン２０の押圧状態の場合におけるカメラ１０の上面１０ａａからレリーズボタン２０の押圧面２０ａまでの距離ＹＲ２（ＹＲ１−ｙ）は、電源ボタン３０の押圧状態の場合におけるカメラ１０の上面１０ａａから電源ボタン３０の押圧面３０ａまでの距離ＹＢ２（ＹＢ１−ｙ）より大きい（ＹＲ２＞ＹＢ２）。
【００１７】
次に、例えばカメラ１０がＹプラス方向より平面的な他物体５０により押圧された場合について説明する。図４はカメラ１０が他物体５０により押圧された状態を示した図である。まず、他物体５０は、カメラ１０の上面１０ａａから距離ＹＲ１においてレリーズボタン２０の押圧面２０ａと当接する。このとき、図４（ａ）に示すように、電源ボタン３０の押圧面３０ａの上面１０ａａからの距離ＹＢ１はＹＲ１より小さいため、電源ボタン３０と他物体５０とは当接していない。
【００１８】
他物体５０がさらにカメラ１０の上面１０ａａ方向に移動して他物体５０とカメラの上面１０ａａとの距離がＹＲ２になると、図４（ｂ）に示すように、レリーズボタン２０の押圧部２０ａが押されてレリーズボタン２０の押圧部材２１の端面がレリーズスイッチ２２と当接し、レリーズスイッチ２２がオンになる。
【００１９】
しかし、このとき、電源ボタン３０の押圧部材３１が電源スイッチ３２と当接する距離ＹＢ２はＹＲ２より小さいため、電源ボタン３０の押圧部材３１は電源スイッチ３２と当接していない。したがって電源スイッチ３２はオフの状態であるので、シャッタ駆動部１３は起動せずに撮影行われることがない。
【００２０】
他物体５０がさらにカメラ１０の方向に押圧され、例えば図４（ｃ）に示すように撓んで電源ボタン３０を押圧し、電源ボタン３０の押圧面３０ａがＹＢ２まで押圧されると、電源ボタン３０の押圧部材３１の端面が電源スイッチ３２と当接し、電源スイッチ３２がオンになる。
【００２１】
図５は、このときのＣＰＵ１１における電源起動シーケンスを示すフローチャートである。電源ボタン３０の押圧部材３１の端面が電源スイッチ３２と当接し、電源スイッチ３２がオンになると（Ｓ１）、レリーズスイッチ２２がオンになっているかどうかが判断される（Ｓ２）。レリーズスイッチ２２がオンになっている場合は（Ｓ２，ＹＥＳ）、カメラ１０は起動せず、電源起動シーケンスは終了する。そして、レリーズスイッチ２２がオフの場合（Ｓ２，ＮＯ）は、カメラ１０が起動される（Ｓ４）。
【００２２】
以上、本実施形態によると、以下の効果を有する。
（１）例えば、鞄の中などにカメラ１０を入れて持ち運んでいる際に、カメラ１０の上面１０ａａが何か他物体５０に当たる場合がある。この場合、カメラ１０の上面１０ａａにおいて電源ボタン３０のみ一点で押圧される状況は少なく、カメラ１０の上面は面で押圧される状況が多いと思われる。この際、上述のように、レリーズスイッチ２２が電源スイッチ３２より先にオンになる。しかし、本実施形態によると、レリーズスイッチ２２が電源スイッチ３２より先にオンになっている場合、カメラ１０は起動しない。したがって、画像が誤って撮影されることはなく、電力は消費されず、また、レンズ鏡筒４０が沈胴位置から撮影位置に繰り出してしまうことがない。
【００２３】
（２）また、通常の電源操作においては、撮影者は電源ボタン３０だけを押すので、レリーズスイッチ２２が電源スイッチ３２より先にオンになる状況は考えにくい。したがって、レリーズスイッチ２２が電源スイッチ３２より先にオンになっている場合にカメラ１０が起動しないようにしても、通常の電源オンの動作に対して支障はない。
【００２４】
（３）本実施形態では、レリーズボタン２０の径を電源ボタン３０の径よりも大きくした。これによると、例えば、カメラ１０の上面１０ａａに対して他物体５０が斜めに当たる場合にも、レリーズボタン２０が電源ボタン３０より先に押圧される。したがって、この場合であっても、先に電源ボタン３０が押圧される可能性がより低くなる。
【００２５】
（変形形態）
以上、説明した実施形態に限定されることなく、以下に示すような種々の変形や変更が可能であり、それらも本発明の範囲内である。
（１）本実施形態では、レリーズボタン２０及び電源ボタン３０においてストロークｙの長さを同じにし、ボタンの高さを調整することにより、レリーズスイッチ２２が電源スイッチ３２よりも、先にオンになるようにした。しかし、これに限らず、ストロークを変化させることにより、レリーズスイッチ２２が電源スイッチ３２よりも先にオンになるようにしてもよい。
【００２６】
（２）また、本実施形態では、電源ボタン３０と隣接するレリーズボタン２０との関係について説明したが、本発明はこれに限定されない。例えば、同一面上において、電源ボタン３０に隣接するボタンであればレリーズボタン２０に限らず、例えばモード切替ボタン、手振れ補正オンオフボタン等他のボタンとの関係であってもよい。なお、本明細書において隣接とは、同一面に複数のボタンが配置されている場合、電源ボタン３０に最も近いボタンとの関係をいう。
実施形態及び変形形態は、適宜組み合わせて用いることもできるが、詳細な説明は省略する。また、本発明は以上説明した実施形態によって限定されることはない。
【図面の簡単な説明】
【００２７】
【図１】本実施形態のカメラの外観を示した斜視図である。
【図２】カメラのブロック図である。
【図３】カメラの上面における各ボタンの位置関係を示した図であり、（ａ）は各ボタンの非押圧状態、（ｂ）は各ボタンの押圧状態を示している。
【図４】カメラが他物体により押圧された状態を示した図である。
【図５】ＣＰＵにおける電源起動シーケンスを示すフローチャートである。
【符号の説明】
【００２８】
１０：カメラ、１０ａ：筐体、１０ａａ：上面、２０：レリーズスイッチ、２０ａ：押圧面、２１：押圧部材、２２：レリーズスイッチ、３０：電源ボタン、３０ａ：押圧面、３１：押圧部材、３２：電源スイッチ、２０ａ：押圧面
【図１】
2009104051.tif 000003
【図２】
2009104051.tif 000004
【図３】
2009104051.tif 000005
【図４】
2009104051.tif 000006
【図５】
2009104051.tif 000007